(57)【特許請求の範囲】
【請求項１】
開放側端部が回動自在に支持された第１扉と、第１扉に折り畳み自在に連結され、固定部材に取付けられたスライド部材に形成されたスライド支持部材に、支持金具を介して上部が支持され、スライド部材、スライド支持部材、支持金具を介して固定部材にスライド自在に支持された第２扉よりなり、スライド部材は、固定部材に垂直方向に配設された第１スライドレールと、第１スライドレールと同一形状で、固定部材に水平方向に配設された第２スライドレールより構成され、前記スライド支持部材は、第１スライドレールと第２スライドレールに渡って形成されている事を特徴とする折れ戸。
【請求項２】
支持金具は、スライド支持部材に回動不能に嵌合される嵌合軸部と、第２扉の上端部に回動自在に挿通する回動軸部を有している事を特徴とする請求項１に記載の折れ戸。
【発明の詳細な説明】
【０００１】
【発明の属する技術分野】
本発明は、特に車椅子の使用者に便利な折れ戸に関するものである。
【０００２】
【従来の技術】
従来、折れ戸は、車椅子の通過を考慮して、床面側に折れ戸の支持部分を設けていないので、折れ戸が出入り方向に揺れやすく、スライド部分が変形、破損する危険があった。
さらに、床面が水平に処理されているとは限らないので、折れ戸の下面が床面に接触しないよう、折れ戸の取付を上下方向で調整可能にしておく必要もあり、この場合、折れ戸の支持部分は回動しながらスライドするので、長年使用していると、上下方向の調整部分が不測に回動し、折れ戸が下降して床面に接触する問題もあった。
【０００３】
【発明が解決しようとする課題】
本発明は、出入り方向に操作力が負荷されても、スライド部分の破損、変形の危険性が少なく、又、長年使用しても折れ戸が下降する事もない、特に、車椅子の使用者に適した折れ戸を提供する事を課題とする。
【０００４】
【課題を解決する為の手段】
そこで、上記課題を解決する為、本発明が第１の手段として構成したところは、開放側端部が回動自在に支持された第１扉と、第１扉に折り畳み自在に連結され、固定部材に取付けられたスライド部材に形成されたスライド支持部材に、支持金具を介して上部が支持され、スライド部材、スライド支持部材、支持金具を介して固定部材にスライド自在に支持された第２扉よりなり、スライド部材は、固定部材に垂直方向に配設された第１スライドレールと、第１スライドレールと同一形状で、固定部材に水平方向に配設された第２スライドレールより構成され、前記スライド支持部材は、第１スライドレールと第２スライドレールに渡って形成されているものである。
【０００６】
又、本発明が第２の手段として構成したところは、前記支持金具は、スライド支持部材に回動不能に嵌合される嵌合軸部と、第２扉の上端部に回動自在に挿通する回動軸部を有しているものである。
【０００７】
【発明の実施の形態】
本発明は、開放側端部が回動自在に支持された第１扉と、第１扉に折り畳み自在に連結され、固定部材に取付けられたスライド部材に形成された、支持金具を介して上部が支持され、スライド部材、スライド支持部材、支持金具を介して、固定部材にスライド自在に支持された第２扉よりなり、スライド部材は、固定部材に垂直方向に配設された第１スライドレールと、第１スライドレールと同一形状で、固定部材に水平方向に配設された第２スライドレールより構成され、スライド支持部材は、第１スライドレールと第２スライドレールに渡って形成され、支持金具は、スライド支持部材に回動不能に嵌合される嵌合軸部と、第２扉の上端部に回動自在に挿通する回動軸部を有しているものである。
【０００８】
【実施例】
以下、本発明を添付図面に基づいて詳述する。
図２は本発明をトイレ用の折れ戸として使用した状態の正面図を示している。そして、図２において右側を閉鎖側、左側を開放側、正面側を表面側、背面側を裏面側、表裏側方向を出入り方向として以下本発明を説明する。
符号１００は本発明の折れ戸を示し、折れ戸１００は、開閉側の端部に立設された開閉側縦枠１１、１１と、開閉側の縦枠１１、１１の上端部に配設された上枠１２より構成された三方枠１と、開放側の縦枠１１の閉鎖側内面上下端部に形成されたピボットヒンジ２１にて開放側上下端部が回動自在に支持され、開放側端面に戸当たり２２を有する第１扉２と、第１扉２の閉鎖側端部と丁番３１（図３に示す。）を介して折り畳み自在に連結され閉鎖側端面に戸当たり３２を有する第２扉３と、三方枠１の内側の表裏両面側で、第１扉２、第２扉３の上方に位置し、内部構造を隠蔽している表裏ランマパネル１０、１０等より構成されている。
【０００９】
第２扉３は、表面側に把手３３、表示部３４が設けられ、裏面側に、閉鎖側縦枠１１の内面に形成された係合孔３５０（図３に示す。）に係脱自在で、表示部３４と連動する表示錠３５（図３に示す。）が回動自在に設けられ、さらに表裏両面側にわたって形成された確認窓３６を有し、開閉側方向の略中央部上面に回動自在に設けられた支持金具４（図２、図５に示す。）と、支持金具４が連結されるスライド支持部材５を介して、開閉側縦枠１１、１１の上端部間内面に配設され、スライド部材７００が取付けられた固定部材６に対して開閉方向にスライド自在に支持されている。
【００１０】
符号３７は、閉鎖側縦枠１１の段部１１１の表面側に取付られた、第２扉３の閉鎖時の衝撃を和らげる緩衝部材を示し、符号９は、折れ戸１００の開閉操作が容易となるよう第２扉３の上方に位置し、固定部材６と第２扉３側間に形成された開閉補助部材を示している。
【００１１】
前記支持金具４は上下端部に形成された、上下ナット４１、４１、４２、４２が螺合する上下螺軸部４３、４４と、下螺軸部４４の上端に連続する円柱形に形成された回動軸部４５と、回動軸部４５の上端に連続する六角軸に形成された嵌合軸部４６より形成されている。
そして、支持金具４は、第２扉３の上端部内面にネジ止めされた支持金具取付座５８に回動自在に取付られる。
【００１２】
すなわち、前記支持金具取付座５８は、上壁５８１と、上壁５８１の開閉側端部に下方に突出して連設された開閉側の側壁５８２、５８２と、開閉側の側壁５８２、５８２の下端部に開閉側に突出して連設された連結壁５８３、５８３より形成され、上壁５８１の中央部には  回動支持筒５８５が嵌入する回動孔５８６が形成されており、回動支持筒５８５は、回動孔５８６に嵌入する円筒形の筒部５８７と、筒部５８７の下端部に連設され上壁５８１の下面に当接する当接支持部５８８と、上下方向に貫通する貫通孔５８９を有している。
【００１３】
そして、貫通孔５８９に支持金具４の回動軸部４５が嵌挿し、当接支持部５８８の下方に突出する下螺軸部４４に下ワッシャ５８０が取付られたのち、下ナット４２、４２と螺合し、下ナット４２、４２の下方に突出する下螺軸部４４に抜け止めピン４４１が取付られ、そして、支持金具４が取付られた状態で支持金具取付座５８は、第２扉３の上端部内面にねじ止めされ、支持金具取付座５８を介して、支持金具４は第２扉３に回動自在に、上方に突出して連結される。
【００１４】
前記スライド支持部材５は、固定部材６に連結された第１、第２スライドレール７、８に一体的あるいはネジ止め等にて連結されており、前記支持金具４が取付られる水平支持部５１と、水平支持部５１の裏面側端部から上方に連設され、表面側に上がり止め金具４０が取付られ、裏面側に開閉補助部材９の一部が取付けられる垂直支持部５２と、垂直支持部５２の上端から表面側に向かって連設される上水平部５３と、上水平部５３の表面側端部から、上方に向かって逆Ｌ字形に形成された、第１取付部５４と第２取付部５５よりなるスライドレール連結部５６より形成されている。
【００１５】
前記スライド支持部材５の水平支持部５１には、前記支持金具４の嵌合軸部４６が表面側から回動不能に嵌合する嵌合孔５１１が形成されており、支持金具４の上螺軸部４３に上ワッシャ４１１が取付られ、上ナット４１、４１が螺合した状態で、表面側から嵌合軸部４６が嵌合孔５１１に嵌合される。
この状態で、上ワッシャ４１１、上ナット４１にて第２扉３は支持金具４を介してスライド支持部材５に吊下げられ、さらに、表面側から抜け止め金具５７を水平支持部５１に連結して、支持金具４及び第２扉３の表面側方向への移動を阻止する。
すなわち、抜け止め金具５７は、裏面側から形成された嵌合孔５１１と同様の嵌合切り欠き５７１を有し、この嵌合切り欠き５７１が、表面側から水平支持部５１の下面で、嵌合軸部４６に嵌合され、水平支持部５１とネジ止めされる。
【００１６】
そして、上ナット４１、４１を回動して上螺軸部４３との螺合位置を調整する事によって、第２扉３の上下方向の取付高さを調整した後、上がり止め金具４０をスライド支持部材５の表面側にネジ止めし、第２扉３が上方に移動するのを防止する。
すなわち、上がり止め金具４０は、断面略Ｌ字形に形成され、スライド支持部材５の垂直支持部５２に表面側からネジ止めされる取付部４０１と、取付部４０１の上端から表面側に向かって突出し、支持金具４の上螺軸部４３の上端部が貫通する挿通孔４０２を有し、上ナット４１の上端面に当接する上がり止め突片４０３と、上がり止め突片４０３の表面側端部略中央部で下方に突出し、上螺軸部４３の上端部の表面側に位置する下向き突出片４０４より形成されている。
【００１７】
前記固定部材６は、開閉側縦枠１１、１１の上端部間に配設され、表面側に開閉方向全幅に渡って形成されたスライド部材連結凹部６１内に形成された水平取付壁６２と、水平取付壁６２の裏面側端部から下方に連設された垂直取付壁６３と、水平取付壁６２と垂直取付壁６３の裏面側に所定間隔を有して一体に形成された、上水平壁６４と、裏面側垂直壁６５より形成されている。
【００１８】
スライド部材連結凹部６１内に取付られる前記スライド部材７００は、前記垂直取付壁６３の表面側の開閉方向全幅に渡って配設される第１スライドレール７と、前記水平取付壁６２の下面側の開閉方向全幅に渡って配設される第２スライドレール８より構成され、第１スライドレール７は、垂直取付壁６３にネジ止めされる断面略Ｃ字形の固定レール７１と、固定レール７１にボールリテーナー７２、ボール７３・・・を介してスライド自在に配設される断面略Ｃ字形の移動レール７４より構成されてなり、移動レール７４の開閉方向の巾寸法は、支持金具４が連結されるスライド支持部材５の開閉方向の巾寸法のほぼ倍の長さで、ボールリテーナー７２は、移動レール７４の移動距離の２分の１の距離、移動する事に対応して、固定レール７１の開閉方向の巾寸法のほぼ２分の１の長さに形成されている。
【００１９】
前記第２スライドレール８は、水平取付壁６２にネジ止めされる断面横向き略Ｃ字形の固定レール８１と、固定レール８１に、ボールリテーナー８２、ボール８３・・・を介してスライド自在に配設される断面横向き略Ｃ字形の移動レール８４より構成されてなり、移動レール８４の開閉方向の巾寸法は、支持金具４が連結されるスライド支持部材５の開閉方向の巾寸法のほぼ倍の長さで、ボールリテーナー８２は、移動レール８４の移動距離の２分の１の距離移動する事に対応して、固定レール７１の開閉方向の巾寸法のほぼ２分の１の長さに形成されている。
【００２０】
すなわち、第１スライドレール７と第２スライドレール８は同形で、それぞれのボール７３・・・、８３・・・が位置する方向にはガタ付が生じず強度的に強い構成となっているから、それぞれの移動レール７４、８４と、スライド支持部材５の第１取付部５４と第２取付部５５を一体とする事により、第２扉３の荷重は第１スライドレールで支持され、又、スライド支持部材５に表裏側方向の負荷が発生しても、水平方向に配設された第２スライドレール８が負荷を受け止めるので、スライド支持部材５に支持金具４を介して吊下げられた第２扉３に生じる開閉時の表裏方向への揺れは最小限におさえられる。
尚、実施例では、第２スライドレール８は水平に配設されているが、第２扉３の出入り方向の揺れを防止する方向、すなわち、スライド支持部材５が第１スライドレール７を中心部分として回動する方向に沿って、水平からやや傾けた水平方向に設けると、より効果的である。
【００２１】
前記開閉補助部材９は、固定部材６の上水平壁６４の開閉方向の略中央部上面に上方に突出して設けられたリンク取付座９１の上端に、折れ戸１００の閉鎖状態で閉鎖側に向かって略水平姿勢に端部が枢止される第１枢止点９０１を有する第１リンク９２と、第１リンク９２の他端部に一端が枢止され、他端がスライド支持部材５の裏面側に設けられたリンク下取付座９３に枢止される第２枢止点９０２を有する第２リンク９４と、第１リンク９２と第２リンク９４間に配設され、第１リンク９２と第２リンク９４を常に開く方向に付勢する第１付勢体９５（弓状となした板バネ、圧縮バネ、ねじりコイルばね等）と、固定部材６の閉鎖側端部とスライド支持部材５間に配設され、常に第２扉を閉鎖方向に付勢すると共に、第１付勢体９５の付勢力より弱く設定された第２付勢体９６（定荷重バネが望ましい。）より構成されている。
【００２２】
開閉補助部材９は、上記の如く構成されているので、第２扉３の全閉位置では、第２枢止点９０２は第１枢止点９０１の閉鎖側に位置し、第１付勢体９５は常に第１リンク９２、第２リンク９４を開く方向に付勢しているので、第１付勢体９５は第２扉３が常に全閉位置を維持するよう付勢し、かつ、第２付勢体９６も第２扉３を常に第２扉３が閉鎖する方向に付勢し、常に全閉姿勢が維持される。
この状態から、第２扉３を第１、第２付勢体９５、９６の付勢力に抗して開放していくと、スライド支持部材５の移動に伴って第２枢止点９０２が第１枢止点９０１との距離を縮めながら開放側に移動し、やがて第２枢止点９０２が第１枢止点９０１の下方に位置する。（図７仮想線に示す状態）。
この状態で、第１付勢体９６の付勢力は下向きに負荷され、第２付勢体９６が無い場合は第２扉３は開放途中で停止状態となる。
【００２３】
さらに、第２付勢体９６の付勢力に抗して第２扉３を開放すると、第２枢止点９０２が第１枢止点９０１の開放側に位置した瞬間から、第１付勢体９５の付勢力は、第２付勢体９６の付勢力より強く形成され、さらに第１枢止点９０１と第２枢止点９０２の距離が遠ざかるよう付勢されているので、スライド支持部材５は開放方向に開放力を負荷しなくても、自動的に開放方向に移動し、折れ戸１００は開放姿勢となり、その状態が維持される。
【００２４】
次に、折れ戸１００の開放姿勢から、第２扉３を第１付勢体９５の付勢力に抗して閉鎖していくと、スライド支持部材５の移動に伴って第２枢止点９０２が第１枢止点９０１との距離を縮めながら閉鎖側に移動し、やがて第２枢止点９０２が第１枢止点９０１の下方に位置する。この状態で、第１付勢体９６の付勢力は下向きに負荷され、第２付勢体９６が無い場合は第２扉３は開放途中で停止状態となる。
【００２５】
さらに、第２付勢体９６の付勢力と共に第２扉３を閉鎖すると、第２枢止点９０２が第１枢止点９０１の閉鎖側に位置した瞬間から、第１付勢体９５の付勢力は、第１枢止点９０１と第２枢止点９０２の距離が遠ざかるよう付勢されているので、第２付勢体９６の付勢力と共に、スライド支持部材５は閉鎖方向に閉鎖力を負荷しなくても、自動的に閉鎖方向に移動し、折れ戸１０は閉鎖姿勢となり、その状態が維持される。
【００２６】
すなわち、第２枢止点９０２を第１枢止点９０１の閉鎖側に位置させた時点から折れ戸１００は自動的に閉鎖し、第２枢止点９０２を第１枢止点９０１の開放側に位置させた時点から、折れ戸１００は自動的に開放するので、車椅子での通過が容易で、使い勝手がよい。
そして、実施例では第２付勢体９６を設けているが、これを設けなくても上記の機能は十分に発揮される。
しかしながら、第１付勢体９５だけで使用すると、第２扉３は全閉時には、スライド支持部材５は殆ど閉鎖側に移動することなく、支持金具４と第２扉３の回動で全閉するので、確実に全閉させる為、第１付勢体９５の付勢力を強くすると、折れ戸１００の開放途中から急激に開放され、全開時に衝撃音が発生する。（使用に際しては特に問題となるものではないが。）
【００２７】
そして、衝撃音をなくす為、第１付勢体９５の付勢力を弱くすると、折れ戸１００の閉鎖時、自動的に全閉しきれないという問題が発生する可能性があり、折れ戸１００としての完成度を上げるため、第２扉３を常に閉鎖方向に付勢する第２付勢体９６を設け、第１付勢体９５の付勢力に第２付勢体９６の付勢力を加えることで、折れ戸１００を自動的に全閉させ、第２付勢体９６の付勢力を第１付勢体９５の付勢力よりやや弱く設定する事により、開放途中からの開放方向への付勢力を弱め、急激に全開されて発生する衝撃音を防止する。
【００２８】
尚、実施例の開閉補助部材９は、第１付勢体９５を第１リンク９２と第２リンク９４間に配設し、第２付勢体９６を固定部材６とスライド支持部材５間に配設しているが、基本的には前記開閉補助部材９は、一端が固定部材６に枢止された第１枢止点９０１と、他端が第２扉３側に枢止された第２枢止点９０２を有し、第２枢止点９０２は、折れ戸１００の閉鎖姿勢で第１枢止点９０１の閉鎖側に位置すると共に、折れ戸１００の開放途中で、第２枢止点９０２は第１枢止点９０１の開放側に位置するよう設けられる一方、第１枢止点９０１と第２枢止点９０２間の距離が常に広げられる方向に付勢されている構成であればよい。
【００２９】
すなわち、第１リンク９２、第２リンク９３、第１付勢体９５の代わりに、ねじりコイルバネ、あるいは、ガススプリングを使用して、一端を第１枢止点９０１に、他端を第２枢止点９０２に枢止する構成であっても本発明の目的を達成することができる。
さらに前記実施例において、第１付勢体９５に圧縮バネを使用しているので、第２扉３の移動時に圧縮バネが弓状にしなるのを防止する為、心棒の一端を第２リンク９４に対し回動自在となし、他端を第１リンク９２に回動かつスライド可能に、圧縮バネ内に配設してもよい。
【００３０】
ランマパネル１０は、上端に形成された上向き係止突片（図示せず）を、三方枠１の上枠１２の内側に係止させ、開閉側両端部を開閉側縦枠１１、１１の内面側で、それぞれ開閉方向に突出せしめたランマ取付座（図示せず）にネジ止めして着脱自在に取付られる。
【００３１】
【発明の効果】
請求項１に記載の発明によれば、第２扉は、固定部材に取付けられたスライド部材に形成されたスライド支持部材に支持金具を介して上部が支持され、スライド部材、スライド支持部材、支持金具を介して固定部材にスライド自在に支持され、スライド部材は、固定部材に垂直方向に配設された第１スライドレールと、第１スライドレールと同一形状で、固定部材に水平方向に配設された第２スライドレールにわたって形成されているので、折れ戸の開閉の操作時出入り方向（表裏方向）に操作力が負荷されても、スライド部分が、変形、破損する事はない。
【００３３】
請求項２に記載の発明によれば、支持金具はスライド支持部材に回動不能に嵌合される嵌合軸部と、第２扉の上端部に回動自在に挿通する回動軸部を有しているので、簡単な構成で安価に製作できる。
【図面の簡単な説明】
【図１】本発明の要部縦断面図
【図２】本発明の正面図
【図３】図２のＡーＡ線拡大断面図
【図４】図３のＢ部拡大図
【図５】スライド支持部材と支持金具部分の分解斜視図
【図６】スライド部材の拡大断面図
【図７】開閉補助部材の作動状態を示す説明図
【符号の説明】
１        三方枠
１１      縦枠
１００    折れ戸
２        第１扉
３        第２扉
４        支持金具
４６      嵌合軸部
５        スライド支持部材
６        固定部材
７        第１スライドレール
７００    スライド部材
８        第２スライドレール
９        開閉補助部材
９０１    第１枢止点
９０２    第２枢止点
９２      第１リンク
９４      第２リンク
９５      第１付勢体
９６      第２付勢体
【図１】
0003631485.tif 000002
【図２】
0003631485.tif 000003
【図３】
0003631485.tif 000004
【図４】
0003631485.tif 000005
【図５】
0003631485.tif 000006
【図６】
0003631485.tif 000007
【図７】
0003631485.tif 000008